【手続補正書】
【提出日】平成16年6月23日(2004.6.23)
【手続補正１】
【補正対象書類名】特許請求の範囲
【補正対象項目名】全文
【補正方法】変更
【補正の内容】
【特許請求の範囲】
【請求項１】
同期化されている複数の第２通信局への通信チャンネルを第１通信局が多次元直交資源の跳躍方式に基づいて割当てて統計的多重化するデジタル通信方法において、
前記多次元直交資源の跳躍パターンの衝突が発生すれば、伝送データシンボルの符号が一致有無を判断する段階;
伝送データシンボルの符号が一致する場合には、前記データシンボルを全て伝送する段階;
伝送データシンボルの符号が一致しない場合には、前記データシンボルを全て穿孔する段階を含むことを特徴とする、デジタル通信方法。
【請求項２】
前記多次元直交資源の跳躍パターンは、各々の第２通信局別に独立的であることを特徴とする、請求項１に記載のデジタル通信方法。
【請求項３】
前記多次元直交資源の座標は、
"直交資源#１、直交資源#２、…、直交資源#N"で示されることを特徴とする、請求項１に記載のデジタル通信方法。
【請求項４】
前記多次元直交資源は、直交性が保障される周波数、時間、及び直交符号であることを特徴とする、請求項３に記載のデジタル通信方法。
【請求項５】
跳躍パターンの衝突が発生した多次元直交資源は、第１通信局からの全ての送信信号の振幅が制限されることを特徴とする、請求項４に記載のデジタル通信方法。
【請求項６】
同期化されている複数の第２通信局への通信チャンネルを第１通信局が多次元直交資源の跳躍方式に基づいて割当てて統計的多重化するデジタル通信方法において、
多次元直交資源の跳躍パターンの衝突発生時に、衝突に関与したチャンネルの伝送データシンボルと前記チャンネルの送信信号の振幅とによって各直交無線資源単位の送信信号を制御する第１段階;
跳躍パターンの衝突が発生したチャンネルの直交無線資源単位で伝送されるデータシンボルの符号を判断する第２段階;
チャンネルが割当てられたが、前記直交無線資源単位で伝送されないチャンネルの集合S0と、前記直交無線資源単位で伝送されるデータシンボルが正数であるチャンネルの集合S+と、前記直交無線資源単位で伝送されるデータシンボルが負数であるチャンネルの集合S-とに区分して、前記直交無線資源単位で伝送されるデータシンボルを決定する第３段階を含むことを特徴とする、多次元直交資源の跳躍多重化方法。
【請求項７】
前記第３段階は、前記集合S+とS-とがいずれも空集合でなければ、各集合内で最少の送信信号の振幅を有する二つのチャンネルの送信信号の振幅を比較して、
大きい方を基準値にして前記直交無線資源単位で伝送されるデータシンボルを決定することを特徴とする、請求項６に記載の多次元直交資源の跳躍多重化方法。
【請求項８】
前記基準値に決定されたチャンネルが含まれる集合に属する全てのチャンネルの送信電力を０に制御することを特徴とする、請求項７に記載の多次元直交資源の跳躍多重化方法。
【請求項９】
前記基準値に決定されたチャンネルが含まれない集合に属するチャンネルの送信信号の振幅のうちで、前記基準値の定数倍以下の大きさを有し、最も大きい送信信号の振幅を有するチャンネルの送信信号値を前記直交無線資源単位で送信することを特徴とする、請求項７に記載の多次元直交資源の跳躍多重化方法。
【請求項１０】
前記基準値に決定されたチャンネルが含まれない集合に属するチャンネルの符号を有し、前記基準値の定数倍の振幅を有する送信信号値を前記直交無線資源単位で送信することを特徴とする、請求項７に記載の多次元直交資源の跳躍多重化方法。
【請求項１１】
前記基準値に決定されたチャンネルが含まれない集合に属するチャンネルの合計を前記直交無線資源単位で送信することを特徴とする、請求項７に記載の多次元直交資源の跳躍多重化方法。
【請求項１２】
前記基準値に決定されたチャンネルが含まれない集合に属するチャンネルの合計を前記基準値の定数倍と比較して、より小さい振幅を有する値を前記直交無線資源単位で送信することを特徴とする、請求項１１に記載の多次元直交資源の跳躍多重化方法。
【請求項１３】
同期化されている複数の第２通信局への通信チャンネルを第１通信局が多次元直交資源の跳躍方式に基づいて割当てることにより統計的多重化するデジタル通信方法において、
第１通信局から複数の第２通信局までの距離を判断する第１段階;
第１通信局の送信ダイバーシティを通じて相対的に遠い距離にある第２通信局への信号損失を補償する第２段階を含むことを特徴とする、デジタル通信方法。
【請求項１４】
前記第２段階は、第１通信局の送信ダイバーシティが複数の第１通信局の送信によって行われることを特徴とする、請求項１３に記載のデジタル通信方法。
【請求項１５】
前記送信ダイバーシティは、ソフトハンドオフまたはソフターハンドオフを通じて行われることを特徴とする、請求項１４に記載のデジタル通信方法。
【請求項１６】
同期化されている複数の第２通信局への通信チャンネルを第１通信局が多次元直交資源の跳躍方式に基づいて割当てることにより統計的多重化するデジタル通信方法において、
分類チャンネル符号器の出力ビットのうちで情報ビットと付加ビットとを区分する第１段階;
情報ビットは直交資源の分割多重化方式で伝送する第２段階;
付加ビットは直交資源の跳躍多重化方式で伝送する第３段階を含むことを特徴とする、デジタル通信方法。
【請求項１７】
前記分類チャンネル符号器は、ターボ符号器であることを特徴とする、請求項１６に記載のデジタル通信方法。
【請求項１８】
同期化されている複数の第２通信局への通信チャンネルを第１通信局が多次元直交資源の跳躍方式に基づいて割当てることにより統計的多重化するデジタル通信方法において、
多次元跳躍パターンの特定フレームでの瞬間衝突比率を測定する第１段階;
前記瞬間衝突比率が基準衝突比率より高くなれば、影響の少ないチャンネルの順にフレーム伝送を中断する第２段階を含むことを特徴とする、デジタル通信方法。
【請求項１９】
前記第２段階は、品質要求事項が低いチャンネルから高いチャンネルの順にフレーム伝送を故意に中断することを特徴とする、請求項１８に記載のデジタル通信方法。
【請求項２０】
前記第２段階は、オートリピートリクエスト方式で動作するチャンネルからそうでないチャンネルの順にフレーム伝送を故意に中断することを特徴とする、請求項１８に記載のデジタル通信方法。
【請求項２１】
前記オートリピートリクエスト方式で動作するチャンネル間の再伝送回数の少ないチャンネルから多いチャンネルの順にフレーム伝送を故意に中断することを特徴とする、請求項２０に記載のデジタル通信方法。
【請求項２２】
前記第２段階は、送信電力の高いチャンネルから低いチャンネルの順にフレーム伝送を故意に中断することを特徴とする、請求項１８に記載のデジタル通信方法。
【請求項２３】
前記第２段階は、既に伝送された連続したフレームの数が少ないチャンネルから多いチャンネルの順にフレーム伝送を故意に中断することを特徴とする、請求項１８に記載のデジタル通信方法。
【請求項２４】
前記第２段階は、ソフトハンドオフ中であるチャンネルからそうでないチャンネルの順にフレーム伝送を故意に中断することを特徴とする、請求項１８に記載のデジタル通信方法。
【請求項２５】
同期化されている複数の第２通信局への通信チャンネルを第１通信局が多次元直交資源の跳躍方式に基づいて割当てることにより統計的多重化するデジタル通信方法において、
多次元跳躍パターンの瞬間衝突比率を測定する第１段階;
前記瞬間衝突比率が連続的に一定の回数以上基準衝突比率より高くなれば、予め決められた順にチャンネル割当を取消す第２段階を含むことを特徴とする、デジタル通信方法。
【請求項２６】
前記第２段階は、品質要求事項の低いチャンネルから高いチャンネルの順に第１通信局によってチャンネル割当が取消されることを特徴とする、請求項２５に記載のデジタル通信方法。
【請求項２７】
前記第２段階は、既に伝送された連続したフレームの数が少ないチャンネルから多いチャンネルの順に第１通信局によってチャンネル割当が取消されることを特徴とする、請求項２５に記載のデジタル通信方法。
【請求項２８】
前記第２段階は、ソフトハンドオフ中であるチャンネルからそうでないチャンネルの順に前記第１通信局によってチャンネル割当が取消されることを特徴とする、請求項２５に記載のデジタル通信方法。
【請求項２９】
同期化されている複数の第２通信局への通信チャンネルを第１通信局が多次元直交資源の跳躍方式に基づいて割当てることにより統計的多重化するデジタル通信方法において、
要求された直交資源の跳躍多重化チャンネル数を有効な直交無線資源単位の数と比較する第１段階;
要求された直交資源の跳躍多重化チャンネルが有効な直交無線資源単位の数以下である場合には、跳躍パターンの衝突が基本的に発生しないように、直交資源の分割多重化チャンネルと同様に固定的に直交無線資源単位を割当てる第２段階;
要求された直交資源の跳躍多重化チャンネルが有効な直交無線資源単位の数より多い場合には、割当てられるチャンネルを跳躍パターンによって直交無線資源単位を選択してデータを伝送する第３段階を含むことを特徴とする、デジタル通信方法。
【請求項３０】
直交無線資源単位の割当を固定的に受けたチャンネルが終了すれば、返却された前記直交無線資源単位を新たに要求するチャンネルに再び固定的に割当てる第４段階をさらに含むことを特徴とする、請求項２９に記載のデジタル通信方法。
【請求項３１】
直交無線資源単位の割当を固定的に受けたチャンネルが終了すれば、返却された前記直交無線資源単位を前記返却の瞬間まで終了していない跳躍モードで動作する直交資源の跳躍多重化チャンネルのうちから一つ選択して再び固定的に割当てる第４段階をさらに含むことを特徴とする、請求項２９に記載のデジタル通信方法。
【請求項３２】
前記選択された直交資源の跳躍多重化チャンネルは、前記返却の瞬間まで終了していない跳躍モードで動作する直交資源の跳躍多重化チャンネルのうちで最初にサービスが始まったチャンネルであることを特徴とする、請求項３１に記載のデジタル通信方法。
【請求項３３】
前記選択された直交資源の跳躍多重化チャンネルは、前記返却の瞬間まで終了していない跳躍モードで動作する直交資源の跳躍多重化チャンネルのうちで最後にサービスが始まったチャンネルであることを特徴とする、請求項３１に記載のデジタル通信方法。
【請求項３４】
前記選択された直交資源の跳躍多重化チャンネルは、前記返却の瞬間まで終了していない跳躍モードで動作する直交資源の跳躍多重化チャンネルのうちで残留サービス時間が最も長いチャンネルであることを特徴とする、請求項３１に記載のデジタル通信方法。
【請求項３５】
前記選択された直交資源の跳躍多重化チャンネルは、前記返却の瞬間まで終了していない跳躍モードで動作する直交資源の跳躍多重化チャンネルのうちで残留伝送データが最も多いチャンネルであることを特徴とする、請求項３１に記載のデジタル通信方法。
【請求項３６】
前記選択された直交資源の跳躍多重化チャンネルは、前記返却の瞬間まで終了していない跳躍モードで動作する直交資源の跳躍多重化チャンネルのうちで最も高い品質を要求するチャンネルであることを特徴とする、請求項３１に記載のデジタル通信方法。
【請求項３７】
前記選択された直交資源の跳躍多重化チャンネルは、前記返却の瞬間まで終了していない跳躍モードで動作する直交資源の跳躍多重化チャンネルのうちで最も高い送信電力で送信されるチャンネルであることを特徴とする、請求項３１に記載のデジタル通信方法。
【請求項３８】
同期化されている複数の第２通信局への通信チャンネルを第１通信局が多次元直交資源の跳躍方式に基づいて割当てて統計的多重化するデジタル通信システムにおいて、
多次元跳躍パターンを発生する手段と、
前記多次元跳躍パターン発生手段の出力によって直交資源の集合内の当該直交資源を選択してデータシンボルを変調する手段と、
多次元跳躍パターンの衝突有無を監視し、前記衝突区間での第２通信局への伝送データシンボルの一致有無を比較する衝突検出及び制御手段と、
多次元跳躍パターンの衝突及び伝送データシンボルの不一致によって伝送を中断する部分と送信中断による平均受信エネルギーの損失を補償するための送信電力制御手段とを含むことを特徴とする、デジタル通信システム。
【請求項３９】
前記衝突検出及び制御手段は、
前記多次元直交資源の跳躍パターンの衝突が発生すれば、伝送データシンボルの符号の一致有無を判断し、伝送データシンボルの符号が一致する場合には、前記データシンボルを全て伝送し、
伝送データシンボルの符号が一致しない場合には、前記データシンボルを全て穿孔することを特徴とする、請求項３８に記載のデジタル通信システム。
【請求項４０】
前記多次元直交資源の跳躍パターンは、各々の第２通信局別に独立的であることを特徴とする、請求項３９に記載のデジタル通信システム。
【請求項４１】
前記第１通信局は、チャンネルの活性度によって割当チャンネル数を決定することを特徴とする、請求項３９に記載のデジタル通信システム。
【請求項４２】
前記直交無線資源単位は、直交性が保障される周波数、時間、及び直交符号であることを特徴とする、請求項３９に記載のデジタル通信システム。
【請求項４３】
跳躍パターンの衝突が発生した直交無線資源単位は、第１通信局からの全ての送信信号の振幅が制限されることを特徴とする、請求項３９に記載のデジタル通信システム。
【請求項４４】
同期化されている複数の第２通信局への通信チャンネルを第１通信局が多次元直交資源の跳躍システムに基づいて割当てて統計的多重化するデジタル通信システムにおいて、
多次元跳躍パターンを発生する手段と、
前記多次元跳躍パターン発生手段の出力によって直交資源の集合内の当該直交資源を選択してデータシンボルを変調する手段と、
多次元跳躍パターンの衝突有無を監視し、前記衝突区間での第２通信局への伝送データシンボルの一致有無を比較する衝突検出及び制御手段と、
多次元跳躍パターンの衝突及び伝送データシンボルの不一致によって伝送を中断する部分と送信の中断による平均受信エネルギーの損失を補償するための送信電力制御手段とを含み、
前記衝突検出及び制御手段は、
多次元直交資源の跳躍パターンの衝突発生時に、衝突に関与したチャンネルの伝送データシンボルと前記チャンネルの送信信号の振幅とによって各直交無線資源単位の送信信号を制御し、
跳躍パターンの衝突が発生したチャンネルの直交無線資源単位で伝送されるデータシンボルの符号を判断し、
チャンネルが割当てられたが、前記直交無線資源単位で伝送されないチャンネルの集合S0と、前記直交無線資源単位で伝送されるデータシンボルが正数であるチャンネルの集合S+と、前記直交無線資源単位で伝送されるデータシンボルが負数であるチャンネルの集合S-とに区分して、前記直交無線資源単位で伝送されるデータシンボルを決定することを特徴とする、多次元直交資源の跳躍多重化システム。
【請求項４５】
前記衝突検出及び制御手段は、
前記集合S+とS-とがいずれも空集合でなければ、各集合内で最少の送信信号の振幅を有する二つのチャンネルの送信信号の振幅を比較して、
大きい方を基準値にして前記直交無線資源単位で伝送されるデータシンボルを決定することを特徴とする、請求項４４に記載の多次元直交資源の跳躍多重化システム。
【請求項４６】
前記電力制御手段は、
前記基準値に決定されたチャンネルが含まれる集合に属する全てのチャンネルの送信電力を０に制御することを特徴とする、請求項４５に記載の多次元直交資源の跳躍多重化システム。
【請求項４７】
前記衝突検出及び制御手段は、
前記基準値に決定されたチャンネルが含まれない集合に属するチャンネルの送信信号の振幅のうちで、前記基準値の定数倍以下の大きさを有し、最も大きい送信信号の振幅を有するチャンネルの送信信号値を前記直交無線資源単位で送信することを特徴とする、請求項４５に記載の多次元直交資源の跳躍多重化システム。
【請求項４８】
前記衝突検出及び制御手段は、
前記基準値に決定されたチャンネルが含まれない集合に属するチャンネルの符号を有し、前記基準値の定数倍の振幅を有する送信信号値を前記直交無線資源単位で送信することを特徴とする、請求項４５に記載の多次元直交資源の跳躍多重化システム。
【請求項４９】
前記衝突検出及び制御手段は、
前記基準値に決定されたチャンネルが含まれない集合に属するチャンネルの合計を前記直交無線資源単位で送信することを特徴とする、請求項４５に記載の多次元直交資源の跳躍多重化システム。
【請求項５０】
前記衝突検出及び制御手段は、
前記基準値に決定されたチャンネルが含まれない集合に属するチャンネルの合計を前記基準値の定数倍と比較して、より小さい振幅を有する値を前記直交無線資源単位で送信することを特徴とする、請求項４９に記載の多次元直交資源の跳躍多重化システム。
【請求項５１】
同期化されている複数の第２通信局への通信チャンネルを第１通信局が多次元直交資源の跳躍方式に基づいて割当てることによって統計的多重化するデジタル通信システムにおいて、
分類チャンネル符号器の出力ビットのうちで情報ビットと付加ビットとを区分する区分手段と、
前記区分手段で抽出された情報ビットは直交資源の分割多重化方式で伝送し、付加ビットは直交資源の跳躍多重化方式で伝送する伝送手段とを含むことを特徴とする、デジタル通信システム。
【請求項５２】
前記分類チャンネル符号器は、ターボ符号器であることを特徴とする、請求項５１に記載のデジタル通信システム。
【請求項５３】
同期化されている複数の第２通信局への通信チャンネルを第１通信局が多次元直交資源の跳躍方式に基づいて割当てることにより統計的多重化するデジタル通信システムにおいて、
多次元跳躍パターンの特定フレームでの瞬間衝突比率を測定する測定手段と
前記瞬間衝突比率が基準衝突比率より高くなれば、影響の少ないチャンネルの順にフレーム伝送を中断するフレーム伝送制御手段とを含むことを特徴とする、デジタル通信システム。
【請求項５４】
前記伝送制御手段は、品質要求事項の低いチャンネルから高いチャンネルの順にフレーム伝送を故意に中断することを特徴とする、請求項５３に記載のデジタル通信システム。
【請求項５５】
前記伝送制御手段は、オートリピートリクエスト（Automatic Repeat Request）方式で動作するチャンネルからそうでないチャンネルの順にフレーム伝送を故意に中断することを特徴とする、請求項５３に記載のデジタル通信システム。
【請求項５６】
前記伝送制御手段は、前記オートリピートリクエスト方式で動作するチャンネル間の再伝送回数の少ないチャンネルから多いチャンネルの順にフレーム伝送を故意に中断することを特徴とする、請求項５３に記載のデジタル通信システム。
【請求項５７】
前記伝送制御手段は、送信電力の高いチャンネルから低いチャンネルの順にフレーム伝送を故意に中断することを特徴とする、請求項５３に記載のデジタル通信システム。
【請求項５８】
前記伝送制御手段は、既に伝送された連続したフレームの数が少ないチャンネルから多いチャンネルの順にフレーム伝送を故意に中断することを特徴とする、請求項５３に記載のデジタル通信システム。
【請求項５９】
前記伝送制御手段は、ソフトハンドオフ中であるチャンネルからそうでないチャンネルの順にフレーム伝送を故意に中断することを特徴とする、請求項５３に記載のデジタル通信システム。
【請求項６０】
同期化されている複数の第２通信局への通信チャンネルを第１通信局が多次元直交資源の跳躍方式に基づいて割当てることにより統計的多重化するデジタル通信システムにおいて、
多次元跳躍パターンの瞬間衝突比率を測定する測定手段と
前記瞬間衝突比率が連続的に一定回数以上基準衝突比率より高くなれば、予め決められた順にチャンネル割当を取消す制御手段とを含むことを特徴とする、デジタル通信システム。
【請求項６１】
前記予め決められた順は、品質要求事項の低いチャンネルから高いチャンネルの順に第１通信局によってチャンネル割当が取消されることを特徴とする、請求項６０に記載のデジタル通信システム。
【請求項６２】
前記予め決められた順は、既に伝送された連続したフレームの数が少ないチャンネルから多いチャンネルの順に第１通信局によってチャンネル割当が取消されることを特徴とする、請求項６０に記載のデジタル通信システム。
【請求項６３】
前記予め決められた順は、ソフトハンドオフ中であるチャンネルからそうでないチャンネルの順に前記第１通信局によってチャンネル割当が取消されることを特徴とする、請求項６０に記載のデジタル通信システム。
【請求項６４】
同期化されている複数の第２通信局への通信チャンネルを第１通信局が多次元直交資源の跳躍方式に基づいて割当てることにより統計的多重化するデジタル通信システムにおいて、
要求された直交資源の跳躍多重化チャンネル数を有効な直交無線資源単位の数と比較する比較部と
要求された直交資源の跳躍多重化チャンネルが有効な直交無線資源単位の数以下である場合には、跳躍パターンの衝突が基本的に発生しないように直交資源の分割多重化チャンネルと同様に固定的に直交無線資源単位を割当て、要求された直交資源の跳躍多重化チャンネルが有効な直交無線資源単位の数より多い場合には、割当てられるチャンネルを跳躍パターンによって直交無線資源単位を選択してデータを伝送する制御部とを含むことを特徴とする、デジタル通信システム。
【請求項６５】
前記制御部は、直交無線資源単位の割当を固定的に受けたチャンネルが終了すれば、返却された前記直交無線資源単位を新たに要求するチャンネルに再び固定的に割当てることを特徴とする、請求項６４に記載のデジタル通信システム。
【請求項６６】
前記制御部は、直交無線資源単位の割当を固定的に受けたチャンネルが終了すれば、返却された前記直交無線資源単位を前記返却の瞬間まで終了していない跳躍モードで動作する直交資源の跳躍多重化チャンネルのうちから一つ選択して再び固定的に割当てることを特徴とする、請求項６４に記載のデジタル通信システム。
【請求項６７】
前記選択された直交資源の跳躍多重化チャンネルは、前記返却の瞬間まで終了していない跳躍モードで動作する直交資源の跳躍多重化チャンネルのうちで最も先にサービスが始まったチャンネルであることを特徴とする、請求項６６に記載のデジタル通信システム。
【請求項６８】
前記選択された直交資源の跳躍多重化チャンネルは、前記返却の瞬間まで終了していない跳躍モードで動作する直交資源の跳躍多重化チャンネルのうちで最後にサービスが始まったチャンネルであることを特徴とする、請求項６６に記載のデジタル通信システム。
【請求項６９】
前記選択された直交資源の跳躍多重化チャンネルは、前記返却の瞬間まで終了していない跳躍モードで動作する直交資源の跳躍多重化チャンネルのうちで残留サービス時間が最も長いチャンネルであることを特徴とする、請求項６６に記載のデジタル通信システム。
【請求項７０】
前記選択された直交資源の跳躍多重化チャンネルは、前記返却の瞬間まで終了していない跳躍モードで動作する直交資源の跳躍多重化チャンネルのうちで残留伝送データが最も多いチャンネルであることを特徴とする、請求項６６に記載のデジタル通信システム。
【請求項７１】
前記選択された直交資源の跳躍多重化チャンネルは、前記返却の瞬間まで終了していない跳躍モードで動作する直交資源の跳躍多重化チャンネルのうちで最も高い品質を要求するチャンネルであることを特徴とする、請求項６６に記載のデジタル通信システム。
【請求項７２】
前記選択された直交資源の跳躍多重化チャンネルは、前記返却の瞬間まで終了していない跳躍モードで動作する直交資源の跳躍多重化チャンネルのうちで最も高い送信電力で送信されるチャンネルであることを特徴とする、請求項６６に記載のデジタル通信システム。
【請求項７３】
要求された直交資源の跳躍多重化チャンネルが有効な直交無線資源単位の数より少ないか同一になるまでは相対的に帯域効率の良い変調方式を使用し、要求された狭義の直交資源の跳躍多重化チャンネルが有効な直交無線資源単位の数より多くなる瞬間からは全てのチャンネルの変調方式のうちの相対的に電力効率の良い変調方式を使用することを特徴とする、請求項６５に記載のデジタル通信システム。
【請求項７４】
前記相対的に電力効率の良い変調方式は、ＭＱＡＭ、ＭＰＳＫ、ＱＰＳＫ及びＢＰＳＫからなる群から選択されることを特徴とする、請求項７３に記載のデジタル通信システム。
【請求項７５】
同期化されている複数の第２通信局への通信チャンネルを第１通信局が多次元直交資源の跳躍方式に基づいて割当てることにより統計的多重化するデジタル通信システムにおいて、
前記通信チャンネルをグループ化する手段と、
前記グループ化手段によってグループ化された各グループ内のチャンネル間には多次元直交資源の跳躍パターンの衝突及び伝送データシンボルの穿孔が行われないように制御する手段と
を含むデジタル通信システム。
【請求項７６】
前記グループの大きさは、直交無線資源単位の数であることを特徴とする、請求項７５に記載のデジタル通信システム。
【請求項７７】
前記グループのうちの第１グループは、直交無線資源単位を固定的に割当てる分割モードで動作させたり、又は前記直交無線資源単位を跳躍して割り当てるが、チェンネル間に衝突が発生しないようにする跳躍モードで動作させることを特徴とする、請求項７５に記載のデジタル通信システム。
【請求項７８】
前記グループ別の直交資源の跳躍パターンは、互いに独立的に発生させたり、前記グループ内で衝突が発生しないように互いに従属的に発生させることを特徴とする、請求項７５に記載のデジタル通信システム。
【請求項７９】
前記グループ内直交資源の跳躍パターンは、前記グループ内の第１チャンネルに対するオフセットで識別することを特徴とする、請求項７５に記載のデジタル通信システム。
【手続補正２】
【補正対象書類名】明細書
【補正対象項目名】０４４４
【補正方法】変更
【補正の内容】
【０４４４】
【数１２１】
2005503711.tif 000001
【手続補正３】
【補正対象書類名】明細書
【補正対象項目名】０４４６
【補正方法】変更
【補正の内容】
【０４４６】
【数１２２】
2005503711.tif 000002
【手続補正４】
【補正対象書類名】明細書
【補正対象項目名】０４５９
【補正方法】変更
【補正の内容】
【０４５９】
【数１２４】
2005503711.tif 000003
【手続補正５】
【補正対象書類名】明細書
【補正対象項目名】０４６３
【補正方法】変更
【補正の内容】
【０４６３】
【数１２５】
2005503711.tif 000004